(57)【要約】【課題】特別な部品を余分に用いずに、幅広片部の立上り姿勢を安定させ、シャーシのコーナ部を補強する。幅広片部にスイッチ素子や光源などを搭載した配線基板を支障なく設置できるようにする。【解決手段】前板部２１の一部を欠除して幅広片部２５と幅狭片部２６とが形成されている板金製シャーシ１０において、当該シャーシ１０に固定されたローダ１００の板金製のシールド板１２０と幅広片部２５の上端部とを第１連結機構４０により連結し、シールド板１２０と幅狭片部２６の上端部と第２連結機構５０により連結する。幅広片部２５を第１連結片６１により横板部２２に連結し、幅狭片部２６を第２連結片７０により横板部２３に連結する。【選択図】図１
2012054277.tif 000002
【特許請求の範囲】
【請求項１】
ローダが固定された板金製シャーシの前辺部に曲成して立ち上げられた前板部の一部が欠除されていることにより、その前板部が、スイッチ素子などの機能部品を搭載した配線基板が設置される幅広片部と、上記シャーシのコーナ部に位置する幅狭片部と、に分けられ、前板部の欠除部分により形成された開口に上記ローダの前端部が臨んでいると共に、上記前板部が、その前板部に設置された上記配線基板の上記機能部品の機能を発揮させるのに必要とされる作用部を備えるフロントパネルで覆われるローダ収容キャビネットにおいて、
上記ローダに備わっている板金製のシールド板と上記幅広片部の上端部とを連結して当該幅広片部の立上り角度を規制する第１連結機構と、上記シールド板と上記幅狭片部の上端部とを連結して当該幅狭片部の変形を抑制して上記コーナ部を補強する第２連結機構とを備えることを特徴とするローダ収容キャビネットの補強構造。
【請求項２】
上記第１連結機構が、上記ローダの天板部を形成している上記シールド板の横幅方向一端部に設けられた第１口部と、上記幅広片部の上端部に曲成されて上記第１口部に嵌め込まれた第１係合片とを有し、上記第１口部の前後の口縁に上記第１係合片が係合することによって上記幅広片部の立上り角度が規制されるように構成されている請求項１に記載したローダ収容キャビネットの補強構造。
【請求項３】
上記第２連結機構が、上記ローダの天板部を形成している上記シールド板の横幅方向他端部に設けられた第２口部と、上記幅狭片部の上端部に曲成されて上記第２口部に嵌め込まれた第２係合片とを有し、上記第２口部の前後及び左右の口縁に上記第２係合片が係合することによって上記幅狭片部の変形が抑制されるように構成されている請求項１又は請求項２に記載したローダ収容キャビネットの補強構造。
【請求項４】
第１連結機構の上記第１係合片が、上記開口側に位置する上記幅広片部の横幅方向一端上部に設けられていると共に、上記開口とは反対側に位置する上記幅広片部の横幅方向他端部に第１連結片が延出され、この第１連結片が、上記シャーシの横辺部に立ち上げられた横板部に連結されている請求項２又は請求項３に記載したローダ収容キャビネットの補強構造。
【請求項５】
第２連結機構の上記第２係合片が、上記開口側に位置する上記幅狭片部の横幅方向一端上部に設けられていると共に、上記開口とは反対側に位置する上記幅狭片部の横幅方向他端部に第２連結片が延出され、この第２連結片が、上記シャーシの他の横辺部に立ち上げられた他の横板部に連結されている請求項３又は請求項４に記載したローダ収容キャビネットの補強構造。
【発明の詳細な説明】
【技術分野】
【０００１】
本発明は、ローダ収容キャビネットの補強構造に関する。特に、シャーシの前辺部に立ち上げられた前板部が横幅方向で２分割されている場合に、特別な部品を余分に用いずにその前板部を補強することにより、前板部の立上り角度の寸法精度を高めたり、シャーシのコーナ部の変形を防いで落下強度を高めたりしているローダ収容キャビネットの補強構造に関する。
【背景技術】
【０００２】
図６はローダ収容キャビネットに採用される板金製のシャーシ１０を概略的に示した斜視図である。同図のシャーシ１０は矩形の底板部１１の前辺部１２と右側の横辺部１３と左側の横辺部１４とのそれぞれに、前板部２１と横板部２２，２３とが屈曲して垂直又は略垂直に立ち上げられている。このシャーシ１０において、前板部２１は、横幅方向の一部が凹入状に欠除されていて、その欠除部分により形成された開口２４の両側に幅広片部２５と幅狭片部２６とが形成されている。また、このシャーシ１０を採用したローダ収容キャビネットでは、シャーシ１０の底板部１１にビス止めなどの適宜手段で動かないように固定されたローダ１００の前端部が臨んでいる。
【０００３】
上記の基本構成を備えたシャーシ１０において、底板部１１の前辺部１２から立ち上げられている前板部２１は、その根元部分（前辺部１２の屈曲箇所）の強度がそれほど大きくないので、基準となる垂直姿勢の前方へ倒れ込むような変形や後方へ反り返るような変形を起こしやすく、また、前板部２１を形成するための折曲加工時の曲げ精度によっては、基準となる垂直姿勢が得られていないこともあり得る。ましてや、前板部２１が横幅方向で２分割されることにより形成されている幅広片部２５と幅狭片部２６とにはそのような事態の起こり得る可能性が大きい。
【０００４】
一方、図６のシャーシ１０の幅広片部２５にスイッチ素子や光源（たとえば、ＦＬ表示管）を搭載した配線基板を設置すると共に、シャーシ１０をボトムケースとして、そのボトムケースにトップカバーとフロントパネルを取り付けることによってローダ収容キャビネットを構成することが考えられた。このローダ収容キャビネットでは、フロントパネルに上記スイッチ素子を操作するための押ボタンや上記光源の光を放出する発光窓などが設けられる。この構成を備えたローダ収容キャビネットの問題点を図７〜図９を参照して義に説明する。
【０００５】
図７〜図９において、３０は幅広片部２５に設置された配線基板、３１は配線基板３０に搭載されている機能部品としてのスイッチ素子、３２はフロントパネルに備わっている作用部としての押ボタン、矢印３３は押ボタン３２の押込み方向を示している。
【０００６】
図７は幅広片部２５の立上り角度が精度よく保たれていて、その幅広片部２５の立上り姿勢が一点鎖線Ｙで示した基準となる垂直姿勢に一致している状態を示している。この状態では、スイッチ素子３１が押ボタン３２に前後方向で適切に対向しているので、押ボタン３２を矢印３３のように押し込むことによってスイッチ素子３１が確実に動作し、スイッチ素子３１の動作感触も押ボタン３２を通じてオペレータに良好に伝達される。
【０００７】
これに対し、図８は幅広片部２５の立上り角度の精度が低く、その幅広片部２５の立上り姿勢が、一点鎖線Ｙで示した基準となる垂直姿勢の前方へ倒れ込んでいる状態を示している。この状態では、スイッチ素子３１が押ボタン３２に近付き過ぎるので、押ボタン３２を矢印３３のように押し込んだときにスイッチ素子３１に無理な力が加わってスイッチ素子３１が損傷しやすくなる。また、スイッチ素子３１の動作感触が押ボタン３２によってオペレータに良好に伝達されにくくなる。
【０００８】
図９は幅広片部２５の立上り角度の精度が低く、その幅広片部２５の立上り姿勢が、一点鎖線Ｙで示した基準となる垂直姿勢の後方へ倒れ込んでいる状態を示している。この状態では、スイッチ素子３１が押ボタン３２から離れすぎるので、押ボタン３２を矢印３３のように押し込んだときにスイッチ素子３１の押し込み不足が生じやすくなってスイッチ素子３３の動作信頼性が損なわれやすい。また、スイッチ素子３１の動作感触が押ボタン３２によってオペレータに良好に伝達されにくくなる。
【０００９】
フロントパネルに設けられた作用部としての発光窓についても、図７のように幅広片部２５の立上り姿勢が一点鎖線Ｙで示した基準となる垂直姿勢に一致しているときには、発光窓から機能部品としての光源の光が適正に放出される。しかし、図８のように幅広片部２５が一点鎖線Ｙで示した基準となる垂直姿勢の前方へ倒れ込んでいる場合や、図９のように幅広片部２５が一点鎖線Ｙで示した基準となる垂直姿勢の後方へ倒れ込んでいる場合には、光源の光が発光窓から適正に放出されなくなるおそれがある。
【００１０】
そこで、図７や図８のように幅広片部２５が一点鎖線Ｙで示した基準となる垂直姿勢に対して前後に位置ずれしていても、作用部としての押ボタンで機能部品であるスイッチ素子を確実に動作させることができ、スイッチ素子３１の動作感触も押ボタン３２を通じてオペレータに良好に伝達されるようにするための対策が講じられた。
【００１１】
この対策は、フロントパネルに、スイッチ素子や光源などの機能部品を搭載した配線基板を設置しておくというものである。図１０は上記対策を講じたフロントパネル２００を裏側から見て示した斜視図である。同図のように、機能部品を搭載した配線基板３０はフロントパネル２００の裏面に設置されている。しかしながら、フロントパネル２００の裏面に配線基板３０を設置すると、配線基板３０のサイズによっては、フロントパネル２００のデザイン性が影響を受け、装飾機能を備えるフロントパネル２００のデザイン性の自由度が損なわれるということが知見された。
【００１２】
他方、図６のシャーシ１０の幅狭片部２６は、シャーシ１０のコーナ部で立ち上がっていて、そのコーナ部の強度に影響を与える。しかしながら、図６の基本構成のように、幅狭片部２６が、底板部１１のコーナ部でその前辺部１２からただ単に立ち上げられているだけであると、上記したようなフロントパネルを取り付けたローダ収容キャビネットでは、幅狭片部２６が底板部１１のコーナ部を補強する役割を十分に果たさず、落下衝撃などの影響を受けてシャーシ１０とフロントパネルとの嵌合箇所が損傷しやすいという問題も知見された。
【００１３】
先行例によると、電子機器のフロントパネルと上キャビネットとの間に前面基板を挟み込むことが知られている（たとえば、特許文献１参照）。また、ねじ部品の使用を減らして省資源化を図ることのできる電子機器のケース、薄板金属シャーシに対するプリント基板の取付固定を安定させる手段なども知られている（たとえば、特許文献２参照、特許文献３参照）。
【００１４】
さらに、シャーシに設けた開口を塞ぐための閉じ板片を、ローダに取り付けた上部部品に一体に設けたディスク装置の防塵構造が知られている（たとえば、特許文献４参照）。そのほか、ディスクドライバのカバーケースの組付け分解を容易に行うための対策（たとえば、特許文献５参照）、記録ディスク駆動措置の磁気シールドについての対策（たとえば、特許文献６参照）、ケース全体をねじ止めすることなく係合手段によってのみ組み立てるようにしたケース組立構造（たとえば、特許文献７参照）についての研究も行われている。
【先行技術文献】
【特許文献】
【００１５】
【特許文献１】特開平１１−７３７６１号公報
【特許文献２】特開２００５−３９０５６号公報
【特許文献３】特開２００７−１９２０４号公報
【特許文献４】特開２００９−９３７３７号公報
【特許文献５】特開平８−７５５２号公報
【特許文献６】特開平９−３２６１９１号公報
【特許文献７】特開平５−１２８４４号公報
【発明の概要】
【発明が解決しようとする課題】
【００１６】
上記したように、従来は、シャーシ１０の幅広片部２５の立上り姿勢が不安定であることに起因して、フロントパネル２００のデザイン性の自由度の低下を犠牲にしてでも、スイッチ素子や光源などの機能部品を搭載した配線基板３０をフロントパネル２００に設置せざるを得ないという問題がっあた。また、幅狭片部２６が、底板部１１のコーナ部で立ち上げられているにもかかわらず、幅狭片部２６が底板部１１のコーナ部を補強する役割を十分に果たさず、落下衝撃時などにシャーシ１０とフロントパネルとの嵌合箇所が損傷しやすいという問題もあった。
【００１７】
本発明は、以上の問題に鑑みてなされたものであり、特別な部品を余分に用いることなく、幅広片部や幅狭片部をローダを利用して補強することにより、幅広片部の立上り姿勢を安定させ、かつ、幅狭片部によってシャーシとフロントパネルとの嵌合箇所の落下衝撃による損傷を未然に防止することのできるローダ収容キャビネットの補強構造を提供することを目的とする。
【００１８】
また、本発明は幅広片部の立上り姿勢を安定させることを通じて、その幅広片部に、スイッチ素子や光源などの機能部品を搭載した配線基板を設置しても、フロントパネルに設けた押ボタンや発光窓などの作用部を確実に作用させることのできるローダ収容キャビネットの補強構造を提供することを目的とする。
【課題を解決するための手段】
【００１９】
本発明に係るローダ収容キャビネットは、ローダが固定された板金製シャーシの前辺部に曲成して立ち上げられた前板部の一部が欠除されていることにより、その前板部が、スイッチ素子などの機能部品を搭載した配線基板が設置される幅広片部と、上記シャーシのコーナ部に位置する幅狭片部と、に分けられ、前板部の欠除部分により形成された開口に上記ローダの前端部が臨んでいると共に、上記前板部が、その前板部に設置された上記配線基板の上記機能部品の機能を発揮させるのに必要とされる作用部を備えるフロントパネルで覆われるようになっている。
【００２０】
そして、上記ローダに備わっている板金製のシールド板と上記幅広片部の上端部とを連結して当該幅広片部の立上り角度を規制する第１連結機構と、上記シールド板と上記幅狭片部の上端部とを連結して当該幅狭片部の変形を抑制して上記コーナ部を補強する第２連結機構とを備える。
【００２１】
この構成であれば、シャーシに固定されているローダのシールド板が、第１連結機構を介して幅広片部の上端部に連結されてその幅広片部の立上り角度を規制していることにより、幅広片部の立上り姿勢が安定する。そのため、幅広片部に、スイッチ素子や光源などの機能部品を搭載した配線基板を設置しても、フロントパネルに設けた押ボタンや発光窓などの作用部を確実に作用させることが可能になる。また、ローダの上記シールド板が、第２連結機構を介して幅狭片部の上端部に連結されて幅狭片部の変形を抑制してシャーシのコーナ部が補強される。そのため、シャーシとフロントパネルとの嵌合箇所の落下衝撃による損傷が防止される。
【００２２】
本発明では、上記第１連結機構が、上記ローダの天板部を形成している上記シールド板の横幅方向一端部に設けられた第１口部と、上記幅広片部の上端部に曲成されて上記第１口部に嵌め込まれた第１係合片とを有し、上記第１口部の前後の口縁に上記第１係合片が係合することによって上記幅広片部の立上り角度が規制されるように構成されていることが望ましい。この構成であれば、シールド板の第１口部と幅広片部の第１係合片とを嵌合させるだけで、ローダのシールド板が第１連結機構を介して幅広片部の上端部に連結される。
【００２３】
本発明では、上記第２連結機構が、上記ローダの天板部を形成している上記シールド板の横幅方向他端部に設けられた第２口部と、上記幅狭片部の上端部に曲成されて上記第２口部に嵌め込まれた第２係合片とを有し、上記第２口部の前後及び左右の口縁に上記第２係合片が係合することによって上記幅狭片部の変形が抑制されるように構成されていることが望ましい。この構成あれば、シールド板の第２口部と幅狭片部の第２係合片とを嵌合させるだけで、ローダのシールド板が第２連結機構を介して幅狭片部の上端部に連結される。
【００２４】
本発明では、第１連結機構の上記第１係合片が、上記開口側に位置する上記幅広片部の横幅方向一端部に設けられていると共に、上記開口とは反対側に位置する上記幅広片部の横幅方向他端部に第１連結片が延出され、この第１連結片が、上記シャーシの横辺部に立ち上げられた横板部に連結されていることが望ましい。また、第２連結機構の上記第２係合片が、上記開口側に位置する上記幅狭片部の横幅方向一端部に設けられていると共に、上記開口とは反対側に位置する上記幅狭片部の横幅方向他端部に第２連結片が延出され、この第２連結片が、上記シャーシの他の横辺部に立ち上げられた他の横板部に連結されていることが望ましい。これらの各発明によれば、幅広片部や幅狭片部が、横板部によっても補強されることになる。
【発明の効果】
【００２５】
以上のように、本発明によれば、幅広片部や幅狭片部をローダの板金製のシールド板を利用して補強しているので、特別な部品を余分に用いることなく、幅広片部の立上り姿勢が安定する。したがって、幅広片部に、スイッチ素子や光源などの機能部品を搭載した配線基板を設置しても、フロントパネルに設けた押ボタンや発光窓などの作用部を確実に作用させることができる。
【００２６】
また、幅狭片部によってシャーシとフロントパネルとの嵌合箇所の落下衝撃による損傷が未然に防止されるようになる。
【図面の簡単な説明】
【００２７】
【図１】本発明の実施形態に係るローダ収容キャビネットのシャーシを一部省略して示した概略斜視図である。
【図２】シャーシの要部の斜視図である。
【図３】シャーシの要部の平面図である。
【図４】図３のＩＶ−ＩＶ線に沿う部分を一部破断して示した説明図である。
【図５】図３の一部を一部破断して示した平面図である。
【図６】ローダ収容キャビネットに採用されるシャーシの基本構成を示した斜視図である。
【図７】垂直姿勢の幅広片部による作用を説明するための説明図である。
【図８】前方へ倒れ込んだ幅広片部による作用を説明するための説明図である。
【図９】後方へ倒れ込んだ幅広片部による作用を説明するための説明図である。
【図１０】配線基板が設置されたフロントパネルを裏側から見て示した斜視図である。
【発明を実施するための形態】
【００２８】
図１は本発明の実施形態に係るローダ収容キャビネットに採用されているシャーシを一部省略して示した概略斜視図、図２は上記シャーシの要部を示した斜視図、図３は上記シャーシの要部の平面図、図４は図３のＩＶ−ＩＶ線に沿う部分を一部破断して示した説明図、図５は図３の他部を一部破断して示した平面図である。
【００２９】
図１のように、シャーシ１０の底板部１１にローダ１００が固定されている。ローダ１００には、磁気テープや光ディスク（ＣＤ，ＤＶＤ，ＢＤ）などのメディアを使用対象とする各種のローダが含まれている。ローダ１００はその筐体フレーム１１０の上部全体を覆う天板部としての板金製のシールド板１２０が備わっていて、このシールド１２０は略矩形に形成されていて、筐体フレーム１１０に動かないように強固に固定されている。シールド板１２０は磁気シールド作用や防塵作用を発揮する。筐体フレーム１１０にシシールド板１２０を固定したり、筐体フレーム１１０をシャーシ１０の底板部１１に固定したりするための手段には、取付ビス１３０やその他の適宜手段が採用されている。
【００３０】
シャーシ１０は、図６を参照して既述したものと同様の基本構成を備えている。そして、シャーシ１０の前板部２１の凹入状の欠除部分により形成された開口２４に、ローダ１００の前端部が臨んでいる。
【００３１】
シャーシ１０の開口２４の両側に形成された幅広片部２５と幅狭片部２６（図１に現れていない）とのうち、幅広片部２５の上端部が第１連結機構４０によってローダ１００のシールド板１２０に連結されているのに対し、幅狭片部２６の上端部が第２連結機構５０によって上記シールド板１２０に連結されている。
【００３２】
図２のように、シャーシ１０の上記開口２４の片側に形成されている上記幅広片部２５の開口２４側の上端部、さらに具体的には、幅広片部２５の開口２４側の横幅方向一端上部に、その幅広片部２５に対して直角に折り曲げられて形成された水平片部４１が備わり、その水平片部４１の開口２４側の端部に、上向き突片でなる第１係合片４２が曲成されている。また、シャーシ１０の上記開口２４の他側に形成されている上記幅狭片部２６の開口２４側の上端部、さらに具体的には、幅狭片部２６の開口２４側の横幅方向他端上部に、その幅狭片部２６に対して直角に折り曲げられて形成された水平片部５１が備わり、その水平片部５１の開口２４側の端部に、上向き突片でなる第１係合片５２が曲成されている。
【００３３】
これに対し、図１、図３又は図４のように、ローダ１００のシールド板１２０の横幅方向一端部、さらに具体的には、シールド板１２０の前端縁の横幅方向一端部（幅広片部２５側の端部）には、側方に張り出した舌片４５が一体に形成されていて、その舌片４５に矩形の第１口部４６が開設されている。また、図１、図３又は図５のように、ローダ１００のシールド板１２０の横幅方向他端部、さらに具体的には、シールド板１２０の前端縁の横幅方向他端部（幅狭片部２６側の端部）には、側方に張り出した舌片５５が一体に形成されていて、その舌片５５に矩形の第２口部５６が開設されている。
【００３４】
そして、上記した第１連結機構４０が、上記した水平片部４１、第１係合片４２、舌片４５及び第１口部４６によって構成されていて、図３又は図４のように第１口部４６に第１係合片４２が嵌め込まれている。この構成を備えた第１連結機構４０によると、第１口部４６の前後の口縁４７，４８に第１係合片４２が係合することによって上記した幅広片部２５の前方及び後方への無制限な倒れ込み変形が防止され、そのことが、幅広片部２５の立上り角度を一定の狭い範囲内に規制することに役立つ。この実施形態では、第１口部４６の前後幅と第１係合片４２の前後幅とを図４のように近似させることによって、幅広片部２５の立上り角度の規制範囲を狭く抑えている。したがって、幅広片部２５の立上り角度が精度よく保たれている状態では勿論、曲げ精度が低くて基準となる垂直姿勢が得られていない状態であっても、シャーシ１０に動かないように固定されているシールド板１２０側の舌片４５の第１開口４６に、幅広片部２５の一端上部の第１係合片４２が嵌まり込んでおりさえすれば、その幅広片部２５の立上り姿勢が基準となる垂直姿勢に一致するか、又は許容できる範囲内で近似して、その幅広片部２５の立上り姿勢が安定する。
【００３５】
また、上記した第２連結機構５０が、上記した水平片部５１、第２係合片５２、舌片５５及び第２口部５６によって構成されていて、図３又は図５のように第２口部５６に第２係合片５２が嵌め込まれている。この構成を備えた第２連結機構５０によると、第２口部５６の前後及び左右の口縁５７，５８，５９に第１係合片５２が係合することによって上記した幅狭片部２６の前方及び後方への無制限な倒れ込み変形が防止されると同時に、幅狭片部２６の左右への無制限の変形も防止される。そのことが、幅狭片部２６の立上り角度を一定の狭い範囲内に規制したり、幅狭片部２６の左右（横幅方向）への変形を抑えることに役立つ。この実施形態では、第２口部５６の前後幅及び横幅と第２係合片５２の前後幅及び厚さとを図５のように近似させることによって、幅狭片部２６の立上り角度の規制範囲を狭く抑え、かつ、幅狭片部２６の左右への変形を抑えている。したがって、幅狭片部２６の立上り角度が精度よく保たれている状態では勿論、曲げ精度が低くて基準となる垂直姿勢が得られていない状態であっても、シャーシ１０に動かないように固定されているシールド板１２０側の舌片５５の第１開口５６に、幅狭片部２６の一端上部の第２係合片５２が嵌まり込んでおりさえすれば、その幅狭片部２６の立上り姿勢が基準となる垂直姿勢に一致するか、又は許容できる範囲内で近似して、その幅狭片部２６の立上り姿勢が安定する。同様に、幅狭片部２６が左右に変形することも防止される。
【００３６】
ローダ１００を固定したシャーシ１０が上記のように構成されていると、幅広片部２５は、その根元部分がシャーシ１０の底板部１１に連設され、かつ、その一端上部が第１連結機構４０によってローダ１００のシールド板１２０に連結されてその立上り角度が規制されていることにより、幅広片部２５が図８や図９を参照して説明した事例のように基準となる垂直姿勢の前方や後方へ大きく倒れ込むような事態が起こり得ない。そのため、図４に示したように、幅広片部２５に配線基板３０を起立姿勢で設置した場合でも、その配線基板３０に搭載されている機能部品としてのスイッチ素子３１が、フロントパネル（不図示）に備わっている作用部としての押ボタン３２に近付き過ぎたり離れすぎたりすることはない。また、押ボタン３２を矢印で示した押込み方向に押し込んでスイッチ素子３１に作用させたときに、幅広片部２５が押し込まれて後方へ倒れ込むという事態も起こりにくい。その結果、押ボタン３２に無理な力が加えられたり、押し込み不足が生じたりすることはなく、スイッチ素子３１の動作感触も押ボタン３２によってオペレータに良好に伝達されるという作用が発揮される。このことにより、図１０を参照して説明したようなフロントパネル２００のデザイン性の自由度が損なわれるという事態を回避することが可能になる。
【００３７】
また、フロントパネルに設けられた作用部としての発光窓が設けられている場合には、配線基板３０に搭載された機能部品としての光源３５（図１参照）の光がその発光窓から適正に放出される。
【００３８】
幅狭片部２６は、その根元部分がシャーシ１０の底板部１１に連設され、かつ、その一端上部が第２連結機構５０によってローダ１００のシールド板１２０に連結されていることにより、その立上り角度と左右への変形幅が規制されて、幅狭片部２６が基準となる垂直姿勢の前方や後方に大きく倒れ込んだり、左右に変形したりするような事態が起こり得ない。そのため、幅狭片部２６の形成箇所の直近に位置しているシャーシ１０のコーナ部ａ（図２，図３，図５参照）が、落下時の衝撃によって損傷したり変形したりするという事態も起こりにくくなる。言い換えると、幅狭片部２６とシールド板１２０と第２連結機構５０とが、幅狭片部２６のみならず、上記コーナ部ａを補強することにも役立って耐落下衝撃性が向上する。
【００３９】
この実施形態では、幅広片部２５や幅狭片部２６を上記した構成で補強していることに加えて、それらの幅広片部２５や幅狭片部２６をさらに補強するために以下に説明する構成を採用している。
【００４０】
すなわち、幅広片部２５については、図２に示したように、シャーシ１０の開口２４とは反対側に位置する幅広片部２５の横幅方向他端部に第１連結片６０が後向きの折曲り状態で延出され、この第１連結片６０に開設された係止口部６１が、シャーシ１０の横辺部１３に立ち上げられた横板部２２の前端部に設けられた係止突起６２に係止されている。この構成のように第１連結片６０と横板部２２の前端部とが連結されていると、幅広片部２５がその横幅方向他端部でも横板部２２に連結されて補強されるので、幅広片部２５の立上り姿勢がいっそう安定して上記作用が顕著に発揮される。
【００４１】
また、幅狭片部２６については、図３又は図５に示したように、シャーシ１０の開口２４とは反対側に位置する幅狭片部２６の横幅方向他端部に第２連結片７０が後向きの折曲り状態で延出され、この第２連結片７０に開設された係止口部７１が、シャーシ１０の横辺部１４に立ち上げられた横板部２３の前端部に設けられた係止突起７２に係止されている。この構成のように第２連結片７０と横板部２３の前端部とが連結されていると、幅狭片部２６がその横幅方向他端部でも横板部２３に連結されて補強されるので、幅狭片部２６の前後及び左右への変形が効果的に抑制され、上記コーナ部ａの補強作用がいっそう向上する。
【符号の説明】
【００４２】
１０  シャーシ
１２  シャーシの前辺部
１３  シャーシの横辺部
１４  シャーシの他の横辺部
２１  前板部
２２  横板部
２３  他の横板部
２４  開口
２５  幅広片部
２６  幅狭片部
３０  配線基板
３１  スイッチ素子（機能部品）
３２  押ボタン（作用部）
４０  第１連結機構
４２  第１係合片
４６  第１口部
４７，４８  第１口部の口縁
５０  第２連結機構
５２  第２係合片
５６  第２口部
５７，５８，５９  第２口部の口縁
６０  第１連結片
７０  第２連結片
１００  ローダ
１２０  シールド板
ａ  シャーシのコーナ部
【図１】
2012054277.tif 000003
【図２】
2012054277.tif 000004
【図３】
2012054277.tif 000005
【図４】
2012054277.tif 000006
【図５】
2012054277.tif 000007
【図６】
2012054277.tif 000008
【図７】
2012054277.tif 000009
【図８】
2012054277.tif 000010
【図９】
2012054277.tif 000011
【図１０】
2012054277.tif 000012